(57)【要約】【課題】管楽器の音量を容易に低減することができる管楽器用リードを提供する。【解決手段】管楽器用リード１１は、リード本体２１と、リード本体２１の主面（第２の主面Ｐ２）に積層され、リード本体２１の振動を抑制する振動抑制部材３１とを備える。管楽器用リード１１は、リード本体２１に振動抑制部材３１が固定された一体構造を有する。【選択図】図２
2019040081.tif 000002
【特許請求の範囲】
【請求項１】
リード本体と、前記リード本体の主面に積層され、前記リード本体の振動を抑制する振動抑制部材と、を備え、
前記リード本体に前記振動抑制部材が固定された一体構造を有することを特徴とする管楽器用リード。
【請求項２】
前記振動抑制部材の２３℃における損失正接（ｔａｎδ）の値は、０．０６以上であることを特徴とする請求項１に記載の管楽器用リード。
【請求項３】
前記リード本体の先端と前記振動抑制部材との距離は、２０ｍｍ以上であることを特徴とする請求項１又は請求項２に記載の管楽器用リード。
【請求項４】
前記振動抑制部材は、前記リード本体において奏者の口に接触する接触側とは反対側の主面のみに積層されていることを特徴とする請求項１から請求項３のいずれか一項に記載の管楽器用リード。
【請求項５】
前記リード本体の主面は、取付凹部を有し、前記取付凹部に前記振動抑制部材が配置されていることを特徴とする請求項１から請求項４のいずれか一項に記載の管楽器用リード。
【発明の詳細な説明】
【技術分野】
【０００１】
本発明は、管楽器の音量を低減する管楽器用リードに関する。
【背景技術】
【０００２】
特許文献１に開示されるように、サクソフォン等の管楽器を練習する際に、周囲への音の影響を抑えるための消音器具が知られている。この消音器具は、管楽器のマウスピースとリードに外嵌される環状に形成されるとともに、その弾力性によってリードの振動を抑制する。
【先行技術文献】
【特許文献】
【０００３】
【特許文献１】実用新案登録第３２０４５５１号公報
【発明の概要】
【発明が解決しようとする課題】
【０００４】
管楽器のリードの先端部分は、比較的脆いため、上記特許文献１の消音器具を管楽器のマウスピースとリードに外嵌する際に消音器具がリードの先端に引っ掛かると、リードの先端部分が破損するおそれがある。このため、上記消音器具をマウスピースとリードに外嵌する際には、リードの先端部分（ティップ部）に引っ掛からないように細心の注意を払う必要がある。このように、従来の消音器具を用いて管楽器の音量を低減する場合、消音器具を装着する作業が煩雑となる。
【０００５】
本発明の目的は、管楽器の音量を容易に低減することができる管楽器用リードを提供することにある。
【課題を解決するための手段】
【０００６】
上記課題を解決する管楽器用リードは、リード本体と、前記リード本体の主面に積層され、前記リード本体の振動を抑制する振動抑制部材と、を備え、前記リード本体に前記振動抑制部材が固定された一体構造を有する。
【０００７】
この構成によれば、リード本体の主面に積層された振動抑制部材によってリード本体の振動が抑制されることで管楽器の音量を低減することができる。さらに、リード本体に振動抑制部材が固定された一体構造を有しているため、消音器具を別途準備したり、別途準備した消音器具をリードやマウスピースに取り付けたりする作業を省略することができる。すなわち、従来のリードをマウスピースに装着する作業と同様の作業で装着することにより、管楽器の音量を低減することができる。
【０００８】
上記管楽器用リードにおいて、前記振動抑制部材の２３℃における損失正接（ｔａｎδ）の値は、０．０６以上であることが好ましい。
この構成によれば、リード本体の振動をより抑制することが可能となる。
【０００９】
上記管楽器用リードにおいて、前記リード本体の先端と前記振動抑制部材との距離は、２０ｍｍ以上であることが好ましい。
この構成によれば、リード本体の振動が過剰に抑制され難くなる。
【００１０】
上記管楽器用リードにおいて、前記振動抑制部材は、前記リード本体において奏者の口に接触する接触側とは反対側の主面のみに積層されていることが好ましい。
この構成によれば、振動抑制部材が奏者の口と接触することを回避することができる。これにより、従来のリードの吹奏感と同様の吹奏感が得られ易くなる。
【００１１】
上記管楽器用リードにおいて、前記リード本体の主面は、取付凹部を有し、前記取付凹部に前記振動抑制部材が配置されていることが好ましい。
この構成によれば、リード本体の振動をより抑制することが可能となる。
【発明の効果】
【００１２】
本発明によれば、管楽器の音量を容易に低減することができる。
【図面の簡単な説明】
【００１３】
【図１】実施形態の管楽器の要部を示す側面図である。
【図２】管楽器用リードを分解して示す側面図である。
【図３】（ａ）は、管楽器用リードを示す平面図であり、（ｂ）は、その断面図である。
【図４】変更例の管楽器用リードを示す断面図である。
【図５】変更例の管楽器用リードを示す断面図である。
【図６】変更例の管楽器用リードを示す平面図である。
【図７】変更例の管楽器用リードを示す平面図である。
【発明を実施するための形態】
【００１４】
以下、管楽器用リードの実施形態について説明する。
図１に示すように、管楽器用リード１１は、マウスピースＭに装着して用いられる。マウスピースＭは、図示を省略した管楽器本体の一端に装着されている。管楽器用リード１１は、図示を省略した周知のリガチャーによりマウスピースＭに装着することができる。本実施形態の管楽器用リード１１は、シングルリードとして用いられる。管楽器（木管楽器）としては、例えば、サクソフォン及びクラリネットが挙げられる。
【００１５】
図２、図３（ａ）及び図３（ｂ）に示すように、管楽器用リード１１は、リード本体２１と、リード本体２１の振動を抑制する振動抑制部材３１とを備えている。管楽器用リード１１は、リード本体２１に振動抑制部材３１が固定された一体構造を有している。
【００１６】
リード本体２１は、周知のリードと同様に長手方向を有する板状に形成され、第１の主面Ｐ１と、第１の主面Ｐ１とは反対側の第２の主面Ｐ２とを有している。第１の主面Ｐ１は、奏者の口に接触する接触側の主面である。第２の主面Ｐ２は、マウスピースＭの開口を覆うように配置される。
【００１７】
リード本体２１は、その長手方向において奏者の口側とは反対側となる基端部であるヒール部２２と、先端部（奏者の口側となる一端部）に向かって厚さが薄くなるように形成されたヴァンプ部２３とを有している。ヴァンプ部２３は、奏者の口側の先端部であるティップ部２３ａを有している。なお、ヴァンプ部２３の中央部分は、ハートと呼ばれている。
【００１８】
リード本体２１の材料としては、木質材料、樹脂系材料、及び木質材料と樹脂系材料との複合材料が挙げられる。木質材料としては、葦（あし）、竹等が挙げられる。樹脂系材料としては、ポリプロピレン、ポリアミド、ポリエステル等が挙げられる。樹脂系材料には、マトリックスとなる樹脂と、補強繊維とが含有されていてもよい。リード本体２１の材料は、木質材料であることが好ましく、より好ましくは葦である。
【００１９】
リード本体２１の第２の主面Ｐ２は、取付凹部２４を有し、この取付凹部２４に振動抑制部材３１が配置される。本実施形態の取付凹部２４は、平面視で四角形状に形成され、取付凹部２４と同じ四角形状の振動抑制部材３１が配置されている。詳述すると、振動抑制部材３１は、取付凹部２４の内側壁で取り囲まれるように配置されている。また、振動抑制部材３１は、その対向する二辺がリード本体２１の側縁と平行に延在するように配置されている。振動抑制部材３１は、リード本体２１の幅方向を左右とした場合、左右対称となるように配置されている。
【００２０】
本実施形態の取付凹部２４の深さ寸法Ｈは、振動抑制部材３１の厚さ寸法Ｔと同一であり、取付凹部２４を取り囲む位置の第２の主面Ｐ２と、振動抑制部材３１の外面とは面一となるように構成されている。
【００２１】
取付凹部２４は、リード本体２１のヴァンプ部２３に形成されている。すなわち、振動抑制部材３１は、リード本体２１のヴァンプ部２３に積層されている。詳述すると、取付凹部２４（振動抑制部材３１）は、リード本体２１のティップ部２３ａ（先端）からヒール部２２に向かって所定の距離となる位置に配置されている。また、取付凹部２４（振動抑制部材３１）は、リード本体２１の長手方向における中央側に偏って配置されている。
【００２２】
振動抑制部材３１は、図示を省略した接着層を介して取付凹部２４の内壁に固定されている。振動抑制部材３１は、取付凹部２４の内底面、及び取付凹部２４の内側面のいずれにも接合されるように固定されていることが好ましい。
【００２３】
振動抑制部材３１は、リード本体２１の材料とは異なる異種材料から構成される。振動抑制部材３１がリード本体２１の振動を抑制する性能は、振動抑制部材３１の動的粘弾性の測定における損失正接（ｔａｎδ）の値で表すことができる。すなわち、振動抑制部材３１の損失正接の値が高いほど、リード本体２１の振動を抑制する性能が高い。振動抑制部材３１の２３℃における損失正接の値は、０．０６以上であることが好ましく、より好ましくは０．１０以上である。
【００２４】
振動抑制部材３１は、高分子材料に必要に応じて充填剤、制振性向上剤等の添加剤を配合した振動抑制材料から構成することができる。高分子材料としては、例えば、アクリル系樹脂、アクリルスチレン系樹脂、スチレン系樹脂、ウレタン系樹脂等の樹脂が挙げられる。高分子材料は、ゴムやエラストマーであってもよい。充填剤としては、例えば、マイカ、炭酸カルシウム、タルク、カオリン、グラファイト、及び硫酸バリウムが挙げられる。制振性向上剤としては、例えば、ベンゾチアジル系化合物、ベンゾトリアゾール系化合物、ジフェニルアクリレート系化合物、正リン酸エステル系化合物、及び芳香族第二級アミン系化合物が挙げられる。
【００２５】
振動抑制部材３１の体積は、２０ｍｍ３以上、９００ｍｍ３以下の範囲であることが好ましく、より好ましくは、１００ｍｍ３以上、４５０ｍｍ３以下の範囲である。
次に、図３（ａ）及び図３（ｂ）を参照して、各寸法の好ましい範囲を説明する。
【００２６】
リード本体２１の先端（ティップ部２３ａ）と振動抑制部材３１との距離Ｄは、２０ｍｍ以上であることが好ましい。この場合、リード本体２１の振動が過剰に抑制され難くなる。なお、この距離Ｄは、３０ｍｍ以下であることが好ましい。
【００２７】
リード本体２１における取付凹部２４の深さ寸法Ｈは、振動抑制部材３１の厚さ寸法Ｔに応じて設定することができる。リード本体２１の取付凹部２４の深さ寸法Ｈは、リード本体２１の強度を確保する観点から、１ｍｍ以下であることが好ましい。
【００２８】
振動抑制部材３１の厚さ寸法Ｔは、０．５ｍｍ以上、９．０ｍｍ以下の範囲であることが好ましい。この厚さ寸法Ｔが大きいほど、音量を低減する効果をより高めることができる。一方、この厚さ寸法Ｔが小さいほど、振動抑制部材３１が管楽器用リード１１以外の箇所と干渉し難く、管楽器用リード１１の取り扱い性が向上する。
【００２９】
振動抑制部材３１の幅寸法Ｗは、５ｍｍ以上であることが好ましい。この幅寸法Ｗが大きいほど、音量を低減する効果をより高めることができる。この幅寸法Ｗは、振動抑制部材３１が管楽器用リード１１以外の箇所と干渉し難く、管楽器用リード１１の取り扱い性を向上する観点から、リード本体２１の幅寸法以下であることが好ましい。
【００３０】
振動抑制部材３１の長さ寸法Ｌは、２ｍｍ以上であることが好ましい。この長さ寸法Ｌが大きいほど、音量を低減する効果をより高めることができる。一方、振動抑制部材３１が管楽器用リード１１以外の箇所と干渉し難く、管楽器用リード１１の取り扱い性を向上する観点から、上記長さ寸法Ｌは、リード本体２１の長さ寸法以下であることが好ましく、ヴァンプ部２３の長さ寸法よりも小さいことが好ましい。
【００３１】
次に、本実施形態の管楽器用リード１１の製造方法について説明する。
管楽器用リード１１のリード本体２１は、市販のリードと同形状の板状体に取付凹部２４を形成することで得られる。取付凹部２４は、例えば、切削加工により形成することができる。管楽器用リード１１の振動抑制部材３１は、シート状に形成された振動抑制シートを切断することで形成することができる。振動抑制部材３１は、接着剤を用いてリード本体２１の取付凹部２４に固定することができる。
【００３２】
次に、本実施形態の管楽器用リード１１の使用方法を作用とともに説明する。
管楽器用リード１１は、リード本体２１のヒール部２２側の部分（基端側の部分）を管楽器のマウスピースＭにリガチャーで締め付けることで装着される。なお、リガチャーは、金属製、布製、皮革製、木製、樹脂製のいずれであってもよい。このとき、管楽器用リード１１は、リード本体２１に振動抑制部材３１が固定された一体構造を有しているため、消音器具を別途準備したり、別途準備した消音器具をリードやマウスピースＭに取り付けたりする作業を省略することができる。すなわち、従来のリードをマウスピースＭに装着する作業と同様の作業により装着することで、管楽器の音量を低減することができる。
【００３３】
このように管楽器用リード１１が装着されたマウスピースＭを咥えて息を吹き込むことで、管楽器用リード１１のリード本体２１の振動に伴って管楽器の音を鳴らすことができる。このとき、リード本体２１の主面に積層された振動抑制部材３１によってリード本体２１の振動が抑制されることで管楽器の音量を低減することができる。
【００３４】
本実施形態によって発揮される効果について、以下に記載する。
（１）管楽器用リード１１は、リード本体２１と、リード本体２１の主面に積層され、リード本体２１の振動を抑制する振動抑制部材３１とを備えている。管楽器用リード１１は、リード本体２１に振動抑制部材３１が固定された一体構造を有している。
【００３５】
この構成によれば、上述した作用が得られるため、管楽器の音量を容易に低減することができる。
（２）振動抑制部材３１の２３℃における損失正接（ｔａｎδ）の値は、０．０６以上であることが好ましい。
【００３６】
この場合、リード本体２１の振動をより抑制することが可能となる。このため、外形（体積）の比較的小さい振動抑制部材３１であっても、音量を低減する効果を十分に得ることが可能となる。このように外形（体積）の比較的小さい振動抑制部材３１は、吹奏や、マウスピースＭへの取り付けに影響を与え難い。従って、使用感の優れる管楽器用リード１１を提供することができる。
【００３７】
（３）リード本体２１の先端と振動抑制部材３１との距離Ｄは、２０ｍｍ以上であることが好ましい。この場合、リード本体２１の振動が過剰に抑制され難くなる。これにより、管楽器の音量が過剰に低減され難くなる。従って、練習に適した音量を得ることが可能となる。
【００３８】
（４）本実施形態の管楽器用リード１１を構成する振動抑制部材３１は、リード本体２１の第２の主面Ｐ２のみに積層されている。
この場合、振動抑制部材３１が奏者の口と接触することを回避することができる。これにより、従来のリードの吹奏感が得られ易くなる。従って、管楽器の練習をより効果的に行うことが可能となる。
【００３９】
（５）本実施形態のリード本体２１の主面は、取付凹部２４を有し、取付凹部２４に振動抑制部材３１が配置されている。
この場合、リード本体２１の振動をより抑制することが可能となる。従って、管楽器の音量をより低減することが可能となる。
【００４０】
（６）リード本体２１を木質材料（例えば、葦）から構成することで、振動抑制部材３１による振動の低減効果が得られ易くなる。
（変更例）
なお、上記実施形態を次のように変更して構成することもできる。
【００４１】
・図４に示すように、振動抑制部材３１の厚さ寸法Ｔをリード本体２１の取付凹部２４の深さ寸法Ｈよりも大きくなるように変更することもできる。すなわち、振動抑制部材３１は、取付凹部２４を取り囲む位置の第２の主面Ｐ２よりも外方に突出するように配置されていてもよい。この場合、従来のリードと同様の取り扱い性を得るという観点から、取付凹部２４を取り囲む位置の第２の主面Ｐ２に対する振動抑制部材３１の突出長さは、８ｍｍ以下であることが好ましく、より好ましくは５ｍｍ以下であり、さらに好ましくは３ｍｍ以下である。
【００４２】
・振動抑制部材３１を複数に分割し、それぞれリード本体２１の主面に積層してもよい。また、振動抑制部材３１の数に応じて取付凹部２４を複数形成してもよい。
・振動抑制部材３１は、単層構造に限定されず、多層構造であってもよい。
【００４３】
・図５に示すように、振動抑制部材３１をリード本体２１における第１の主面Ｐ１のみに積層することもできる。なお、図示を省略するが、振動抑制部材３１をリード本体２１の第１の主面Ｐ１と第２の主面Ｐ２との両主面に積層してもよい。
【００４４】
・図６及び図７に示すように、リード本体２１の取付凹部２４の形状と振動抑制部材３１の形状を三角形状に変更してもよい。また、図示を省略するが、リード本体２１の取付凹部２４の形状と振動抑制部材３１の形状は、円形状であってもよいし、五角形等の多角形状であってもよい。また、振動抑制部材３１の形状は、三角錐や四角錐等の多角錐形状や円錐形状であってもよい。
【００４５】
・図６及び図７に示すように、振動抑制部材３１は、ヴァンプ部２３よりもヒール部２２側に突出するように配置されていてもよい。
・上記取付凹部２４は、リード本体２１の外周縁よりも内側に形成されているが、例えば、リード本体２１の幅方向にわたる溝状の取付凹部に形成することもできる。
【００４６】
・上記取付凹部２４を省略してもよい。すなわち、リード本体２１の平坦状の主面に振動抑制部材３１を積層してもよい。
・振動抑制部材３１は、金型を用いた射出成形により形成することもできる。例えば、金型内にリード本体２１をインサートして振動抑制部材３１を成形するインサート成形法を用いてもよい。
【００４７】
・振動抑制部材３１は、塗布型の振動抑制材料をリード本体２１（取付凹部２４内）に塗布することで、振動抑制部材３１を形成するとともにリード本体２１に固定してもよい。塗布型の振動抑制材料としては、例えば、ホットメルト型、溶液型、エマルション型等が挙げられる。この場合、リード本体２１に振動抑制部材３１を接着する接着剤（接着層）を省略することも可能である。例えば、ホットメルト型の振動抑制材料を用いた場合、リード本体２１に振動抑制部材３１を溶着することができる。溶液型やエマルション型の振動抑制材料を用いた場合、リード本体２１に塗布された振動抑制材料を乾燥することでリード本体２１に振動抑制部材３１を接着することができる。
【００４８】
・振動抑制部材３１は、リード本体２１の取付凹部２４に嵌合することで固定することもできる。但し、取付凹部２４からの振動抑制部材３１の脱落を抑制する観点から、振動抑制部材３１は、リード本体２１に接着又は溶着により固定されることが好ましい。
【００４９】
・振動抑制部材３１は、リード本体２１の幅方向を左右とした場合、左右非対称となるように形状や位置を変更することも可能である。但し、例えば、好適な吹奏感を得る観点から、振動抑制部材３１はリード本体２１に対して左右対称となるように配置されていることが好ましい。
【００５０】
・上記管楽器用リード１１は、シングルリードであるが、ダブルリードの少なくとも一方のリードとして用いられるように変更することもできる。
【実施例】
【００５１】
次に、実施例及び比較例を説明する。
（実施例１）
市販されている木質材料製（葦製）のリードの第２の主面を切削することにより取付凹部を有するリード本体を作製した。また、損失正接（ｔａｎδ）が１．９の高分子材料（アクリル系材料）から取付凹部と同一の寸法の振動抑制部材を成形した。リード本体の凹部に接着剤を用いて振動抑制部材を接着することで、管楽器用リードを得た。リード本体の長さ寸法は、７０ｍｍであり、リード本体の幅寸法は、１４ｍｍである。
【００５２】
実施例１の管楽器用リードの詳細を表１に示す。
表１中の「リード本体」欄の「材料」欄において、「Ａ」は、木質材料を示し、「Ｂ」は、後述する「樹脂系材料」を示す。
【００５３】
また、表１中の「積層」欄において、「Ｂ」は、振動抑制部材をリード本体の第２の主面に積層した場合を示し、「Ａ」は、後述するように振動抑制部材をリード本体の第１の主面に積層した場合を示す。
【００５４】
また、振動抑制部材の損失正接は、次のように測定することができる。振動抑制部材を得るための振動抑制材料を厚さ１ｍｍのシート材に成形し、このシート材を３５ｍｍ×３ｍｍの寸法に切断することで、動的粘弾性測定用の試験片とした。動的粘弾性測定装置（ＲＳＡ−ＩＩ：レオメトリック社製）を用いて試験片を加振しながら連続的に昇温した際の損失正接（ｔａｎδ）を測定した。測定条件は、加振の周波数１０Ｈｚ、測定温度範囲０℃〜９０℃、昇温速度７℃／分とし、２３℃における損失正接の値を求めた。
【００５５】
（実施例２〜４）
実施例２〜４では、損失正接（ｔａｎδ）が異なる高分子材料を用いて振動抑制部材を成形した以外は実施例１と同様に管楽器用リードを得た。なお、実施例２で用いた高分子材料は、ウレタン系材料であり、実施例３で用いた高分子材料は、アクリル系材料であり、実施例４で用いた高分子材料は、アクリルスチレン系材料である。アクリル系材料の損失正接は、アクリル系樹脂に混合する添加剤により調整した。
【００５６】
（実施例５）
実施例５では、振動抑制部材を配置した主面を第１の主面に変更した以外は、実施例１と同様に管楽器用リードを得た。
【００５７】
（実施例６〜１６）
実施例６〜１６では、振動抑制部材の外形、寸法等を表１に示すように変更した以外は、実施例１と同様に管楽器用リードを得た。
【００５８】
ここで、図６には、実施例７の管楽器用リードを示している。実施例７の振動抑制部材の平面形状は、二等辺三角形であり、その頂点がリード本体のティップ部（先端）に向かうように配置されている。この場合を表１中の「平面形状」欄に「三角形（１）」と記載している。
【００５９】
図７には、実施例８の管楽器用リードを示している。実施例８の振動抑制部材の平面形状は、二等辺三角形であり、その頂点がリード本体のヒール部の中央に向かうように配置されている。この場合を表１中の「平面形状」欄に「三角形（２）」と記載している。
【００６０】
（実施例１７，１８）
実施例１７，１８では、リード本体の先端と振動抑制部材との距離Ｄ（リード本体の先端と取付凹部との距離）を表１に示すように変更した以外は、実施例１と同様に管楽器用リードを得た。
【００６１】
（実施例１９）
実施例１９では、リード本体の取付凹部を省略した以外は、実施例１と同様に管楽器用リードを得た。
【００６２】
（実施例２０）
実施例２０では、リード本体の材料をポリプロピレン（ＰＰ）に変更した以外は、実施例１と同様に管楽器用リードを得た。
【００６３】
（比較例１）
比較例１では、リード本体に貫通孔を形成し、その貫通孔内に振動抑制部材を接着剤で固定した以外は、実施例１と同様に管楽器用リードを得た。すなわち、比較例１の管楽器用リードにおける振動抑制部材は、リード本体の主面に積層されずにリード本体の厚さ方向に貫通して配置されている。
【００６４】
＜騒音レベルの測定＞
各例の管楽器用リードをサクソフォンのマウスピースに装着し、温度２３℃に設定された防音室内で、奏者が一定の圧力となるようにサクソフォンを吹いたときの騒音レベルの最大値を測定した。この測定では、床面からサクソフォンの上端の高さを１．４ｍ、騒音計に接続されたマイクの床面からの高さを１ｍ、マイクとサクソフォンとの水平方向における距離を２ｍに設定した。各例の騒音レベルの最大値は、ｎ＝８の平均値とし、表１の「対策品」欄に示す。
【００６５】
また、各例の管楽器用リードを作製するために用いた市販のリードには、個体差があるため、各例の管楽器用リードを作製する前（加工前）の市販のリード（未対策品）の騒音レベルの最大値を予め測定した。未対策品の騒音レベルの最大値は、ｎ＝８の平均値とし、表１の「未対策品」欄に示す。
【００６６】
【表１】
2019040081.tif 000003
＜評価結果＞
各例の管楽器用リード（対策品）について、未対策品の騒音レベルの最大値を１００％としたときの低減割合（％）を算出した。その結果を表１に示す。
【００６７】
実施例１〜４の結果から、振動抑制部材の寸法及び配置を一定にした場合、振動抑制部材の損失正接（ｔａｎδ）の値が高いほど、低減割合も高くなることが分かる。
実施例１，５の結果から、リード本体における第２の主面に振動抑制部材を積層した場合、リード本体の第１の主面に振動抑制部材を積層した場合よりも、低減割合が高くなることが分かる。実施例１，６〜８のように、振動抑制部材の形状を変更しても効果が得られることが分かる。
【００６８】
実施例１，９〜１１のように、振動抑制部材の体積を変更しても音量の低減効果が得られることが分かる。実施例１，１２〜１４のように、振動抑制部材の体積を一定にし、振動抑制部材の長さ寸法Ｌ、幅寸法Ｗを変更しても音量の低減効果が得られることが分かる。
【００６９】
実施例１，１５，１６のように、振動抑制部材の体積を一定にし、振動抑制部材の幅寸法Ｗ、厚さ寸法Ｔを変更しても効果が得られることが分かる。実施例１，１７，１８のように、振動抑制部材の距離Ｄを変更しても音量の低減効果が得られることが分かる。
【００７０】
実施例１，１９の結果から、リード本体に取付凹部を有することで効果が高まることが分かる。実施例１，２０の結果から、上記低減割合は、樹脂系材料のリード本体よりも木質材料のリード本体を用いると高まることが分かる。なお、比較例１の管楽器用リードでは、リードとしての機能が失われ、音を出すことができなかった。
【符号の説明】
【００７１】
１１…管楽器用リード、２１…リード本体、２４…取付凹部、３１…振動抑制部材、Ｄ…距離、Ｐ１…第１の主面、Ｐ２…第２の主面。
【図１】
2019040081.tif 000004
【図２】
2019040081.tif 000005
【図３】
2019040081.tif 000006
【図４】
2019040081.tif 000007
【図５】
2019040081.tif 000008
【図６】
2019040081.tif 000009
【図７】
2019040081.tif 000010